(57)【特許請求の範囲】
【請求項１】
差動復調の基準となる１ビットの基準信号、AC信号の構成を識別する３ビットの構成識別、および２００ビットの地震動警報情報がその順番で配置されることによって構成される前記AC信号を受信する受信部と、
前記AC信号を構成する各ビットを先頭のビットから順に受信し、前記AC信号に含まれる前記地震動警報情報を復号する復号部と、
前記復号部による処理と並行して、前記AC信号を構成する各ビットを先頭のビットから順に受信し、前記構成識別を受信したタイミングで、前記地震動警報情報が伝送されてきたか否かを前記構成識別に基づいて判定し、前記地震動警報情報が伝送されてきたと判定した場合、そのことを表す検出フラグを出力する検出フラグ生成部と、
前記検出フラグ生成部から前記検出フラグが出力されたことに応じて、警報を出力するための処理を開始する制御部と
を備える受信装置。
【請求項２】
前記制御部は、前記警報を出力するための処理を開始した後、前記復号部により復号された前記地震動警報情報に含まれる、地震動警報詳細情報の種別を識別する３ビットの信号識別に基づいて、前記警報を出力するための処理を停止するか否かの判定を行う
請求項１に記載の受信装置。
【請求項３】
前記制御部は、前記信号識別が001、010、または011である場合、前記警報を出力するための処理を停止する
請求項２に記載の受信装置。
【請求項４】
前記検出フラグ生成部は、前記構成識別が001または110である場合、前記検出フラグを出力する
請求項１乃至３のいずれかに記載の受信装置。
【請求項５】
前記検出フラグ生成部は、前記検出フラグを、前記受信部と前記検出フラグ生成部が実装される第１の半導体チップ内のレジスタに記憶させ、
前記制御部は、前記第１の半導体チップとは異なる第２の半導体チップに実装され、前記レジスタの記憶内容を所定の周期で確認し、前記検出フラグが前記レジスタに記憶されたことを確認した場合、前記警報を出力するための処理を開始する
請求項１乃至４のいずれかに記載の受信装置。
【請求項６】
差動復調の基準となる１ビットの基準信号、AC信号の構成を識別する３ビットの構成識別、および２００ビットの地震動警報情報がその順番で配置されることによって構成される前記AC信号を受信部が受信し、
前記AC信号を構成する各ビットを先頭のビットから順に受信し、前記AC信号に含まれる前記地震動警報情報を復号することを復号部が行い、
前記復号部による処理と並行して、前記AC信号を構成する各ビットを先頭のビットから順に受信し、前記構成識別を受信したタイミングで、前記地震動警報情報が伝送されてきたか否かを前記構成識別に基づいて判定し、前記地震動警報情報が伝送されてきたと判定した場合、そのことを表す検出フラグを出力することを検出フラグ生成部が行い、
前記検出フラグ生成部から前記検出フラグが出力されたことに応じて、警報を出力するための処理を制御部が開始する
ステップを含む、受信装置の情報処理方法。
【請求項７】
差動復調の基準となる１ビットの基準信号、AC信号の構成を識別する３ビットの構成識別、および２００ビットの地震動警報情報がその順番で配置されることによって構成される前記AC信号を受信し、
前記AC信号を構成する各ビットを先頭のビットから順に受信し、前記AC信号に含まれる前記地震動警報情報を復号部において復号し、
前記復号部による処理と並行して、前記AC信号を構成する各ビットを先頭のビットから順に受信し、前記構成識別を受信したタイミングで、前記地震動警報情報が伝送されてきたか否かを前記構成識別に基づいて判定し、前記地震動警報情報が伝送されてきたと判定した場合、そのことを表す検出フラグを出力し、
前記検出フラグが出力されたことに応じて、警報を出力するための処理を開始する
ステップを含む処理をコンピュータに実行させるプログラム。
【発明の詳細な説明】
【技術分野】
【０００１】
本発明は、受信装置、情報処理方法、およびプログラムに関し、特に、警報情報が伝送されてきたことに迅速に対応することができるようにした受信装置、情報処理方法、およびプログラムに関する。
【背景技術】
【０００２】
地上デジタル放送の変調方式として、多数の直交搬送波を用い、各搬送波をPSK(Phase Shift Keying)やQAM(Quadrature Amplitude Modulation)で変調する直交周波数分割多重方式（OFDM(Orthogonal Frequency Division Multiplexing)方式）が提案されている。
【０００３】
OFDM方式は、多数のサブキャリアで伝送帯域全体を分割するため、サブキャリア１波あたりの帯域は狭くなり、伝送速度は遅くなるが、トータルの伝送速度は従来の変調方式と変わらないという特徴を有している。
【０００４】
また、OFDM方式は、多数のサブキャリアが並列に伝送されるために、シンボル速度が遅くなるという特徴を有している。そのため、１シンボルの時間長に対する相対的なマルチパスの時間長を短くすることができ、これにより、マルチパスによる影響を受けにくくすることができるという特徴もOFDM方式は有している。
【０００５】
さらに、複数のサブキャリアにデータが割り当てられることから、OFDM方式は、逆フーリエ変換を変調時に行うIFFT(Inverse Fast Fourier Transform)演算回路を用いることにより送信回路を構成することができ、フーリエ変換を復調時に行うFFT(Fast Fourier Transform)演算回路を用いることにより受信回路を構成することができるという特徴を有している。
【０００６】
以上のような特徴から、OFDM方式は、マルチパス妨害の影響を強く受ける地上デジタル放送に適用されることが多い。OFDM方式を採用した地上デジタル放送の規格としては、例えば、ISDB-T(Integrated Services Digital Broadcasting-Terrestrial)といった規格がある。
【０００７】
ISDB−T規格では、変調波の伝送制御に関する付加情報、または地震動警報情報を伝送するため、２０４ビットの情報を一単位としたAC信号を、OFDMシンボル中の所定のサブキャリアで伝送することが規定されている。AC信号は、放送に関する付加情報信号である。
【０００８】
AC信号は差動BPSK変調されている。差動BPSK変調は、伝送するデータ列を差動符号化し、差動符号化した後の情報(0，1)を、それぞれ(+4/3，0)、(-4/3，0)の信号点を持つ複素信号(Ｉ信号、Ｑ信号)にする変調方式である。
【０００９】
図１は、AC(Auxiliary Channel)信号のフレーム構成を示す図である。
【００１０】
図１において、各情報の下に付している数字は、AC信号の先頭を基準として、各情報が何ビット目の情報であるのかを表す。各情報の横方向の長さはビット数に比例していない。
【００１１】
図１の上段に示すように、２０４ビットの情報で一単位とされたAC信号は、先頭から順に、１ビットの差動復調の基準信号、３ビットの構成識別、２００ビットの、変調波の伝送制御に関する付加情報、または地震動警報情報から構成される。
【００１２】
基準信号は、差動復調の基準振幅及び基準位相となる信号である。
【００１３】
構成識別は、AC信号の構成を識別するための信号である。構成識別の000,010,011,100,101,111は、変調波の伝送制御に関する付加情報が伝送されていることを表し、001,110は、地震動警報情報が伝送されていることを表す。構成識別が001,110の時、それに続く２００ビットで地震動警報情報が伝送される。
【００１４】
なお、地震動警報情報は、No.0のセグメントのACキャリアで伝送される。ISDB−T規格のデジタル放送で用いられる周波帯域全体はNo.0からNo.12までの１３のセグメントに分割されており、セグメント毎に、AC信号を伝送するキャリア（ACキャリア）が規定されている。
【００１５】
２００ビットの地震動警報情報は、１３ビットの同期信号、２ビットの開始/終了フラグ、２ビットの更新フラグ、３ビットの信号識別、８８ビットの地震動警報詳細情報、１０ビットのCRC、および８２ビットのパリティビットから構成される。
【００１６】
同期信号は、地震動警報情報の先頭位置を示す情報である。具体的には、構成識別が001の時、W0＝"1010111101110"が、また、構成識別が110の時、W0の反転ワードであるW1＝"0101000010001"がフレーム単位で交互に挿入される。
【００１７】
開始/終了フラグは、「地震動警報詳細情報あり」のとき00、「地震動警報詳細情報なし」のとき11である。
【００１８】
更新フラグは、開始/終了フラグが00の場合に伝送される一連の地震動警報詳細情報の内容に変更が生じる毎に１ずつ増加し、信号識別や地震動情報が更新されたことを受信機に通知する。
【００１９】
信号識別は、それに続く地震動警報詳細情報の種別を識別するために使用する信号である。
【００２０】
信号識別の000は「地震動警報詳細情報 該当地域あり」を表し、001は「地震動警報詳細情報 該当地域なし」を表す。「地震動警報詳細情報 該当地域あり」は、放送区域内に地震動警報の対象地域があることを意味し、「地震動警報詳細情報 該当地域なし」は、放送区域内に地震動警報の対象地域がないことを意味する。
【００２１】
また、信号識別の010は「地震動警報詳細情報の試験信号 該当地域あり」を表し、011は「地震動警報詳細情報の試験信号 該当地域なし」を表す。111は「地震動警報詳細情報なし(放送事業者識別)」を表す。信号識別の100,101,110は未定義である。
【００２２】
信号識別が000,001,010,011のうちのいずれかである時、地震動警報情報を送出する現在時刻情報の情報、地震動警報の対象地域を示す情報、地震動警報の震源に関する情報が地震動警報詳細情報として伝送される。
【００２３】
また、信号識別が111の時、放送事業者識別が地震動警報詳細情報として伝送され、100,101,110のうちのいずれかである時、ALL1が地震動警報詳細情報として伝送される。
【００２４】
CRCは、AC信号の先頭を基準として２２ビット目から１１２ビット目について生成多項式より生成されたCRC符号である。
【００２５】
パリティビットは、AC信号の先頭を基準として１８ビット目から１２２ビット目について差集合巡回符号(273,191)の短縮符号(187,107)により生成された誤り訂正符号である。
【先行技術文献】
【非特許文献】
【００２６】
【非特許文献１】STD-B31＜http://www.arib.or.jp/english/html/overview/doc/2-STD-B31v1_8.pdf＞
【発明の概要】
【発明が解決しようとする課題】
【００２７】
図２は、地震動警報情報復号回路の構成例を示すブロック図である。
【００２８】
地震動警報情報復号回路は、差動復調回路５１、ビット判定回路５２、差集合巡回符号復号回路５３、およびCRC回路５４から構成される。
【００２９】
例えば、このような構成を有する地震動警報情報復号回路において、AC信号で伝送される地震動警報情報の復号が行われることが想定される。地震動警報情報復号回路は、テレビジョン受像機や録画機器などの受信装置が搭載する受信部内に設けられる。
【００３０】
受信部には、地震動警報情報復号回路の他に、チューナ、バンドパスフィルタ、A/D変換回路、デジタル直交復調回路、FFT演算回路、キャリア復調回路、誤り訂正回路等が設けられる。受信装置と受信部の構成の詳細については後述する。
【００３１】
受信部内のデジタル直交復調回路により復調されたOFDM信号は、FFT演算回路においてFFTが施された後、地震動警報情報復号回路に入力される。地震動警報情報復号回路に入力された信号は、実軸成分（Ｉ信号）と虚軸成分（Ｑ信号）とから構成される複素信号である。
【００３２】
差動復調回路５１は、複素信号として入力されたAC信号を差動復調し、元の情報ビットに対応した信号点の複素信号を生成する。差動復調回路５１により差動復調された信号はビット判定回路５２に供給される。
【００３３】
ビット判定回路５２は、差動復調された信号に基づいてビット判定を行う。すなわち、ビット判定回路５２は、差動復調された信号のIQ平面上の信号点から、変調されている値が"0"と"1"のうちのいずれのビット値であるのかを判定し、一方のビット値を出力する。ビット判定回路５２からは、ビットストリーム化されたAC信号が出力されることになる。ビット判定回路５２から出力されたAC信号は、差集合巡回符号復号回路５３に供給される。
【００３４】
差集合巡回符号復号回路５３は、図示せぬ同期/フレーム検出回路から供給されたフレーム同期信号に基づいて、AC信号のフレームの先頭を検出する。差集合巡回符号復号回路５３は、AC信号を構成する最後のビットである２０４ビット目まで受信した後、８２ビットのパリティビットとして地震動警報情報に含まれる差集合巡回符号を用いて誤り訂正を行う。差集合巡回符号復号回路５３は、誤り訂正を施した地震動警報情報をCRC回路５４に出力する。
【００３５】
また、差集合巡回符号復号回路５３は、誤り訂正の成否を表す誤り訂正成否信号を出力する。誤り訂正成否信号は、誤り訂正に成功すれば"OK"を示し、失敗すれば"NG"を示す。
【００３６】
CRC回路５４は、地震動警報情報に含まれる１０ビットのCRC符号を用いてCRCを行い、CRCの成否を表すCRC成否信号と、地震動警報情報を出力する。CRC成否信号は、CRCに成功すれば"OK"を示し、失敗すれば"NG"を示す。
【００３７】
なお、CRC回路５４から出力される地震動警報情報は、地震動警報情報に含まれる全部の情報、または地震動警報情報に含まれる情報のうちの、開始/終了フラグ、更新フラグ、信号識別、地震動警報詳細情報などの一部の情報である。
【００３８】
差集合巡回符号復号回路５３から出力された誤り訂正成否信号と、CRC回路５４から出力されたCRC成否信号および地震動警報情報は、受信部内のI2C(Inter-Integrated Circuit)のレジスタに書き込まれる。受信部のレジスタから地震動警報情報を読み出したコントローラは、画面表示や音を出力することによって、地震に関する情報をユーザに通知するための処理を行う。
【００３９】
地震が発生し、地震動警報情報が伝送されてきた場合、地震動警報情報の内容は地震到達前にユーザに通知されることが望ましい。
【００４０】
そのため、受信部の地震動警報情報復号回路からは、出来るだけ早く、地震動警報情報が伝送されてきたことをコントローラに通知するとともに、地震動警報情報そのものをコントローラに伝達する必要がある。
【００４１】
図２の地震動警報情報復号回路においては、AC信号の同期後、３ビットの構成識別に基づいて地震動警報情報が伝送されているか否かが判定される。また、地震動警報情報が伝送されていると判定された場合、AC信号の先頭から２０４ビット目を受信し、その後、差集合巡回符号による誤り訂正とCRC符号によるCRCを行い、その後、コントローラに地震動警報情報を出力するようになされている。
【００４２】
従って、このような方式では、AC信号の２０４ビット全てを受信してからでなければ地震動警報情報をコントローラに伝達することができない。このことが原因となって、地震動警報情報の内容をユーザに通知するのが遅れてしまうことがある。地震動警報情報の内容を通知するのに用いられるディスプレイやスピーカなどの装置を、地震動警報情報が伝達されてきてからコントローラが起動させる場合、装置の起動に時間がかかり、ユーザへの通知が遅れてしまう。
【００４３】
本発明はこのような状況に鑑みてなされたものであり、警報情報が伝送されてきたことに迅速に対応することができるようにするものである。
【課題を解決するための手段】
【００４４】
本発明の一側面の受信装置は、差動復調の基準となる１ビットの基準信号、AC信号の構成を識別する３ビットの構成識別、および２００ビットの地震動警報情報がその順番で配置されることによって構成される前記AC信号を受信する受信部と、前記AC信号を構成する各ビットを先頭のビットから順に受信し、前記AC信号に含まれる前記地震動警報情報を復号する復号部と、前記復号部による処理と並行して、前記AC信号を構成する各ビットを先頭のビットから順に受信し、前記構成識別を受信したタイミングで、前記地震動警報情報が伝送されてきたか否かを前記構成識別に基づいて判定し、前記地震動警報情報が伝送されてきたと判定した場合、そのことを表す検出フラグを出力する検出フラグ生成部と、前記検出フラグ生成部から前記検出フラグが出力されたことに応じて、警報を出力するための処理を開始する制御部とを備える。
【００４５】
前記制御部には、前記警報を出力するための処理を開始した後、前記復号部により復号された前記地震動警報情報に含まれる、地震動警報詳細情報の種別を識別する３ビットの信号識別に基づいて、前記警報を出力するための処理を停止するか否かの判定を行わせることができる。
【００４６】
前記制御部には、前記信号識別が001、010、または011である場合、前記警報を出力するための処理を停止させることができる。
【００４７】
前記検出フラグ生成部には、前記構成識別が001または110である場合、前記検出フラグを出力させることができる。
【００５４】
前記検出フラグ生成部には、前記検出フラグを、前記受信部と前記検出フラグ生成部が実装される第１の半導体チップ内のレジスタに記憶させ、前記制御部には、前記第１の半導体チップとは異なる第２の半導体チップに実装され、前記レジスタの記憶内容を所定の周期で確認させ、前記検出フラグが前記レジスタに記憶されたことを確認した場合、前記警報を出力するための処理を開始させることができる。
【００６０】
本発明の一側面の情報処理方法は、差動復調の基準となる１ビットの基準信号、AC信号の構成を識別する３ビットの構成識別、および２００ビットの地震動警報情報がその順番で配置されることによって構成される前記AC信号を受信部が受信し、前記AC信号を構成する各ビットを先頭のビットから順に受信し、前記AC信号に含まれる前記地震動警報情報を復号することを復号部が行い、前記復号部による処理と並行して、前記AC信号を構成する各ビットを先頭のビットから順に受信し、前記構成識別を受信したタイミングで、前記地震動警報情報が伝送されてきたか否かを前記構成識別に基づいて判定し、前記地震動警報情報が伝送されてきたと判定した場合、そのことを表す検出フラグを出力することを検出フラグ生成部が行い、前記検出フラグ生成部から前記検出フラグが出力されたことに応じて、警報を出力するための処理を制御部が開始するステップを含む。
【００６１】
本発明の一側面のプログラムは、差動復調の基準となる１ビットの基準信号、AC信号の構成を識別する３ビットの構成識別、および２００ビットの地震動警報情報がその順番で配置されることによって構成される前記AC信号を受信し、前記AC信号を構成する各ビットを先頭のビットから順に受信し、前記AC信号に含まれる前記地震動警報情報を復号部において復号し、前記復号部による処理と並行して、前記AC信号を構成する各ビットを先頭のビットから順に受信し、前記構成識別を受信したタイミングで、前記地震動警報情報が伝送されてきたか否かを前記構成識別に基づいて判定し、前記地震動警報情報が伝送されてきたと判定した場合、そのことを表す検出フラグを出力し、前記検出フラグが出力されたことに応じて、警報を出力するための処理を開始するステップを含む処理をコンピュータに実行させる。
【００６２】
本発明の一側面においては、差動復調の基準となる１ビットの基準信号、AC信号の構成を識別する３ビットの構成識別、および２００ビットの地震動警報情報がその順番で配置されることによって構成される前記AC信号が受信される。また、前記AC信号を構成する各ビットが先頭のビットから順に受信され、前記AC信号に含まれる前記地震動警報情報が復号部において復号され、前記復号部による処理と並行して、前記AC信号を構成する各ビットが先頭のビットから順に受信され、前記構成識別を受信したタイミングで、前記地震動警報情報が伝送されてきたか否かが前記構成識別に基づいて判定される。さらに、前記地震動警報情報が伝送されてきたと判定された場合、そのことを表す検出フラグが出力され、前記検出フラグが出力されたことに応じて、警報を出力するための処理が開始される。
【発明の効果】
【００６３】
本発明によれば、警報情報が伝送されてきたことに迅速に対応することができる。
【図面の簡単な説明】
【００６４】
【図１】AC信号のフレーム構成を示す図である。
【図２】地震動警報情報復号回路の構成例を示すブロック図である。
【図３】本発明の一実施形態に係る受信装置の構成例を示すブロック図である。
【図４】図３の受信部の構成例を示すブロック図である。
【図５】図４の地震動警報情報復号回路の構成例を示すブロック図である。
【図６】実施例をまとめて示す図である。
【図７】受信部の処理について説明するフローチャートである。
【図８】コントローラの処理について説明するフローチャートである。
【図９】受信部とコントローラの接続例を示す図である。
【図１０】図４の地震動警報情報復号回路の他の構成例を示すブロック図である。
【図１１】図１０の地震動警報情報復号回路を有する受信部の処理について説明するフローチャートである。
【図１２】図４の地震動警報情報復号回路のさらに他の構成例を示すブロック図である。
【図１３】図１２の地震動警報情報復号回路を有する受信部の処理について説明するフローチャートである。
【図１４】１つの物理チャンネルに含まれるセグメントを示す図である。
【図１５】受信装置の切り替え処理について説明するフローチャートである。
【図１６】フレーム構成の例を示す図である。
【図１７】受信部を適用した受信システムの第１実施の形態の構成例を示すブロック図である。
【図１８】受信部を適用した受信システムの第２実施の形態の構成例を示すブロック図である。
【図１９】受信部を適用した受信システムの第３実施の形態の構成例を示すブロック図である。
【図２０】コンピュータのハードウェアの構成例を示すブロック図である。
【発明を実施するための形態】
【００６５】
＜第１の実施の形態＞
［受信装置の構成］
図３は、本発明の一実施形態に係る受信装置の構成例を示すブロック図である。
【００６６】
受信装置１は、テレビジョン受像機や録画機器などの、例えばISDB−T規格のデジタル放送を受信可能な機器である。放送局から送信された放送波はアンテナ１１において受信され、受信信号が受信部１２に供給される。
【００６７】
受信部１２は、所定の伝送チャネルを選局し、復調処理を行うことによって、"0"、"1"のデジタル信号を取り出す。また、受信部１２は、復調した情報の誤り訂正を行い、放送局から送信されたTSパケットを取得する。TSパケットには、映像、音声などのデータが含まれる。映像や音声のデータを格納したTSパケットはMPEGデコード部１３に供給される。
【００６８】
また、受信部１２は、AC信号によって地震動警報情報が伝送されてきた場合、地震動警報情報を復号し、コントローラ１６に出力する。地震動警報情報の供給は、例えば、I2Cのレジスタ１２Ａに書き込まれた地震動警報情報がコントローラ１６により読み出されることによって行われる。
【００６９】
受信部１２は、AC信号全体を受信して地震動警報情報を出力する前に、地震動警報情報が伝送されてきたか否かを、AC信号全体のうちの受信済みの一部の情報に基づいて判定する。受信部１２は、地震動警報情報が伝送されてきたと判定した場合、地震動警報情報が伝送されてきたことを表すフラグである早期検出フラグを生成し、コントローラ１６に出力する。早期検出フラグも、地震動警報情報と同様にレジスタ１２Ａに書き込まれ、コントローラ１６により読み出される。
【００７０】
MPEGデコード部１３は、受信部１２から供給されたTSパケットをデコードすることによって画像データと音声データを抽出し、画像データを画像重畳部１４に、音声データを図示せぬ音声処理回路にそれぞれ出力する。音声処理回路においては音声データに対して所定の処理が行われ、画像の表示にあわせてスピーカ１７から音声が出力される。
【００７１】
画像重畳部１４は、MPEGデコード部１３からデータが供給された画像と、コントローラ１６から供給された情報を重ね合わせ、地震に関する情報が重ね合わせられた画像のデータを表示部１５に出力する。画像重畳部１４は、地震に関する情報がコントローラ１６から供給されない場合、MPEGデコード部１３から供給された画像データをそのまま表示部１５に出力する。
【００７２】
表示部１５は、LCD(Liquid Crystal Display)やPDP(Plasma Display Panel)などのディスプレイである。表示部１５は、画像重畳部１４から供給されたデータに基づいて、地震に関する情報が重ね合わせられた画像などの各種の画像を表示する。
【００７３】
コントローラ１６は、リモートコントローラ受光部１８から供給された情報に基づいて、受信装置１の全体の動作を制御する。
【００７４】
例えば、コントローラ１６は、受信部１２のレジスタ１２Ａから地震動警報情報を読み出した場合、地震動警報情報の内容に応じて、地震に関する情報を画像重畳部１４に出力し、画像に重ねて表示させる。また、コントローラ１６は、地震に関する情報を画面表示ではなく音によってユーザに通知する場合、地震に関する情報をユーザに通知するための音データをスピーカ１７に出力し、警報音や音声を出力させる。
【００７５】
また、コントローラ１６は、地震動警報情報の前に早期検出フラグをレジスタ１２Ａから読み出した場合において、受信装置１の状態が待機状態にあるとき、表示部１５やスピーカ１７を起動させる。表示部１５やスピーカ１７の起動は、その後に地震動警報情報を受信した場合に、迅速に、地震に関する情報をユーザに通知することができるようにするための準備として行われる。
【００７６】
スピーカ１７は、コントローラ１６から供給された音声データに基づいて、地震に関する情報をユーザに通知するための警報音などの音を出力する。
【００７７】
リモートコントローラ受光部１８は、リモートコントローラから送信された信号を受信し、ユーザの操作の内容を表す情報をコントローラ１６に出力する。
【００７８】
図４は、図３の受信部１２の構成例を示すブロック図である。
【００７９】
受信部１２は、チューナ３１、BPF３２、A/D変換回路３３、デジタル直交復調回路３４、FFT演算回路３５、キャリア復調回路３６、誤り訂正回路３７、同期/フレーム検出回路３８、伝送制御情報復号回路３９、および地震動警報情報復号回路４０から構成される。アンテナ１１から出力されたOFDM信号である受信信号はチューナ３１に供給される。
【００８０】
チューナ３１は、乗算回路３１Ａおよび局部発振器３１Ｂからなり、アンテナ１１から供給されたRF信号に周波数変換を施し、IF信号を生成する。生成されたIF信号はBPF(Band Pass Filter)３２に供給される。
【００８１】
BPF３２は、IF信号に対してフィルタリングを施し、A/D変換回路３３に出力する。
【００８２】
A/D変換回路３３は、A/D変換を施すことによってIF信号をデジタル化し、デジタル直交復調回路３４に出力する。
【００８３】
デジタル直交復調回路３４は、所定の周波数（搬送波周波数）のキャリア信号を用いて、デジタル化されたIF信号を直交復調し、ベースバンドのOFDM信号をFFT演算回路３５に出力する。デジタル直交復調回路３４から出力されたベースバンド信号は、直交復調された結果、実軸成分と虚軸成分とを含んだ複素信号となる。
【００８４】
FFT演算回路３５は、１つのOFDMシンボルの信号から有効シンボル長分の信号を抜き出し、抜き出した信号に対してFFT演算を行う。すなわち、FFT演算回路は、１つのOFDMシンボルからガードインターバル長分の信号を除き、残った信号に対してFFTを行う。
【００８５】
FFT演算回路３５によりFFTが行われることによって抽出された、各サブキャリアに変調されていた信号は実軸成分と虚軸成分とから構成される複素信号である。FFT演算回路３５により抽出された信号は、キャリア復調回路３６と同期/フレーム検出回路３８に供給される。
【００８６】
キャリア復調回路３６は、FFT演算回路３５から出力された、各サブキャリアから復調された信号に対してキャリア復調を行う。具体的には、キャリア復調回路３６は、差動変調信号（DQPSK信号）に対する差動復調処理と、同期変調信号（QPSK、16QAM、64QAM信号）に対する等化処理を行い、それらの処理によって得られた信号を誤り訂正回路３７に出力する。
【００８７】
誤り訂正回路３７は、送信側でインターリーブされている信号に対してデインターリーブ処理を施し、デパンクチャ、ビタビ復号、拡散信号除去、RS復号等の処理を施し、復号データを出力する。誤り訂正回路３７から出力された復号データはMPEGデコード部１３に供給される。
【００８８】
同期/フレーム検出回路３８は、デジタル直交復調回路３４からFFT演算回路３５に供給されたベースバンドのOFDM信号、FFT演算回路３５により各サブキャリアから復調された信号に基づいて各種の同期処理を行う。例えば、同期/フレーム検出回路３８は、同期処理を行うことによってOFDMシンボルの境界を検出し、FFTの範囲とそのタイミングを指定する情報をFFT演算回路３５に出力する。
【００８９】
また、同期/フレーム検出回路３８は、FFT演算回路３５により復調された信号の所定のサブキャリアから伝送制御情報であるTMCC信号を抽出し、TMCC信号の同期信号を検出してOFDMフレームの境界を検出する。同期/フレーム検出回路３８は、検出したOFDMフレームの境界位置を表すフレーム同期信号を、TMCC信号とともに伝送制御情報復号回路３９に出力する。
【００９０】
同期/フレーム検出回路３８は、FFT演算回路３５により復調された信号の所定のサブキャリアからAC信号を抽出し、AC信号の同期信号を検出してOFDMフレームの境界を検出する。同期/フレーム検出回路３８は、検出したOFDMフレームの境界位置を表すフレーム同期信号を、AC信号とともに地震動警報情報復号回路４０に出力する。
【００９１】
伝送制御情報復号回路３９は、同期が確保されたTMCC信号に含まれるTMCC情報に対して、差集合巡回符号による誤り訂正を施す。また、伝送制御情報復号回路３９は、誤り訂正を施したTMCC情報をキャリア復調回路３６に出力し、キャリア復調回路３６における処理を制御する。
【００９２】
地震動警報情報復号回路４０は、同期が確保されたAC信号に含まれる地震動警報情報に対して、差集合巡回符号による誤り訂正を施し、さらに、CRC符号によるCRCを行う。地震動警報情報復号回路４０は、誤り訂正とCRCを施した地震動警報情報を出力する。
【００９３】
また、地震動警報情報復号回路４０は、地震動警報情報を出力する前に、地震動警報情報が伝送されてきたことをAC信号の受信済みの一部の情報に基づいて検出した場合、早期検出フラグを生成し、出力する。地震動警報情報復号回路４０から出力された地震動警報情報と早期検出フラグはレジスタ１２Ａ（図４には図示していない）に書き込まれる。
【００９４】
図５は、図４の地震動警報情報復号回路４０の構成例を示すブロック図である。
【００９５】
図５に示す構成のうち、図２に示す構成と同じ構成には同じ符号を付してある。重複する説明については適宜省略する。
【００９６】
図５に示す地震動警報情報復号回路４０の構成は、差動復調回路５１、ビット判定回路５２、差集合巡回符号復号回路５３、CRC回路５４の他に、早期検出フラグ生成回路５５が設けられている点で図２の構成と異なる。図４の同期/フレーム検出回路３８から出力されたAC信号は差動復調回路５１に入力され、フレーム同期信号は差集合巡回符号復号回路５３と早期検出フラグ生成回路５５に入力される。
【００９７】
差動復調回路５１は、入力されたAC信号を差動復調し、元の情報ビットに対応した信号点の複素信号を生成する。差動復調回路５１により差動復調された信号はビット判定回路５２に供給される。
【００９８】
ビット判定回路５２は、差動復調された信号に基づいてビット判定を行う。ビット判定の結果であるビットストリーム化されたAC信号を構成する各ビットは、先頭のビットから順に１ビットずつ、差集合巡回符号復号回路５３と早期検出フラグ生成回路５５に供給される。
【００９９】
差集合巡回符号復号回路５３は、入力されたフレーム同期信号に基づいてAC信号のフレームの先頭を検出する。差集合巡回符号復号回路５３は、AC信号の２０４ビット目まで受信した後、８２ビットのパリティビットとして地震動警報情報に含まれる差集合巡回符号による誤り訂正を行い、誤り訂正を施した地震動警報情報をCRC回路５４に出力する。また、差集合巡回符号復号回路５３は、誤り訂正の成否を表す誤り訂正成否信号を出力する。
【０１００】
CRC回路５４は、地震動警報情報に含まれる１０ビットのCRC符号によるCRCを行い、CRCの成否を表すCRC成否信号と、地震動警報情報を出力する。詳細には、CRC回路５４から出力される地震動警報情報は、基準信号、CRC符号、およびパリティビットなどを除いた、地震動警報情報の一部の情報である。
【０１０１】
差集合巡回符号復号回路５３から出力された誤り訂正成否信号と、CRC回路５４から出力されたCRC成否信号と地震動警報情報はレジスタ１２Ａに書き込まれる。
【０１０２】
早期検出フラグ生成回路５５は、入力されたフレーム同期信号に基づいてAC信号のフレームの先頭を検出する。また、早期検出フラグ生成回路５５は、ビット判定回路５２から供給された情報を受信し、AC信号を構成する２０４ビット全てを受信する前に、地震動警報情報が伝送されてきたか否かを受信済みの情報に基づいて判定する。
【０１０３】
早期検出フラグ生成回路５５は、AC信号の受信済みの一部の情報に基づいて、地震動警報情報が伝送されてきたことを検出した場合、早期検出フラグを生成し、出力する。早期検出フラグ生成回路５５から出力された早期検出フラグも、レジスタ１２Ａに書き込まれる。
【０１０４】
地震動警報情報の伝送に採用されている誤り検出、誤り訂正の方式は、CRC符号、差集合巡回符号を用いた方式である。両方式とも、データ部にパリティビットを付加する方式であるため、符号化の際にデータ部自体に変更は生じない。そのため、受信状況が良ければ、誤り訂正を行わない場合でも正しい信号を受信装置１側で受信できているものと考えられる。
【０１０５】
図５の地震動警報情報復号回路４０においては、AC信号を構成する２０４ビットの途中まで受信したタイミングで、受信済みの一部の情報に基づいて、地震動警報情報が伝送されてきたか否かが判定される。
【０１０６】
地震動警報情報が伝送されてきたか否かを判定するタイミングについて説明する。
【０１０７】
［実施例１］
AC信号の２ビット目から４ビット目まで受信したタイミングで、地震動警報情報が伝送されてきたか否かを判定する場合について説明する。
【０１０８】
早期検出フラグ生成回路５５は、AC信号の２ビット目から４ビット目まで受信し、受信した３ビットが001または110である場合、地震動警報情報が伝送されてきたと判定し、早期検出フラグを生成する。上述したように、２ビット目から４ビット目までの３ビットの構成識別が001または110であることは、構成識別に続く情報が、変調波の伝送制御に関する付加情報ではなく、地震動警報情報であることを表す。
【０１０９】
この場合、地震動警報情報が伝送されてきたか否かの判定に開始/終了フラグや信号識別は用いられない。地震動警報詳細情報が有るか無いかを区別することなく、地震動警報情報が伝送されてきたか否かが構成識別に基づいて判定されることになる。
【０１１０】
［実施例２］
AC信号の２ビット目から、５ビット目乃至１７ビット目の範囲のうちの予め設定された所定のビットまで受信したタイミングで、地震動警報情報が伝送されてきたか否かを判定する場合について説明する。
【０１１１】
１７ビット目、すなわち同期信号の最後まで受信したタイミングで判定する場合、早期検出フラグ生成回路５５は、AC信号の２ビット目から１７ビット目まで受信する。早期検出フラグ生成回路５５は、構成識別が001または110であり、かつ、同期信号の１３ビットが既知の同期信号の１３ビットと一致するとき、地震動警報情報が伝送されてきたと判定し、早期検出フラグを生成する。早期検出フラグ生成回路５５には、地震動警報情報に含まれる同期信号のビット列（１３ビット）が既知の情報として設定されている。
【０１１２】
１７ビット目より前、すなわち同期信号の途中まで受信したタイミングで判定する場合、早期検出フラグ生成回路５５は、AC信号の２ビット目から同期信号の途中の所定のビットまで受信する。早期検出フラグ生成回路５５は、構成識別が001または110であり、かつ、受信済みの同期信号の一部が、対応する既知の同期信号の一部と一致するとき、地震動警報情報が伝送されてきたと判定し、早期検出フラグを生成する。
【０１１３】
この場合も、地震動警報情報が伝送されてきたか否かの判定に開始/終了フラグや信号識別は用いられないので、地震動警報詳細情報が有るか無いかの区別は行われない。
【０１１４】
［実施例３］
AC信号の２ビット目から、１８ビット目または１９ビット目まで受信したタイミングで、地震動警報情報が伝送されてきたか否かを判定する場合について説明する。
【０１１５】
１８ビット目まで受信したタイミングで判定する場合、早期検出フラグ生成回路５５は、AC信号の２ビット目から１８ビット目まで受信する。早期検出フラグ生成回路５５は、構成識別が001または110であり、かつ、１８ビット目である、開始/終了フラグの２ビットのうちの１ビット目が0のとき、地震動警報情報が伝送されてきたと判定し、早期検出フラグを生成する。
【０１１６】
１９ビット目まで受信したタイミングで判定する場合、早期検出フラグ生成回路５５は、AC信号の２ビット目から１９ビット目まで受信する。早期検出フラグ生成回路５５は、構成識別が001または110であり、かつ、１８ビット目と１９ビット目の、開始/終了フラグの２ビットが00のとき、地震動警報情報が伝送されてきたと判定し、早期検出フラグを生成する。
【０１１７】
上述したように、開始/終了フラグは、「地震動警報詳細情報あり」のとき00、「地震動警報詳細情報なし」のとき11となる。開始/終了フラグの１ビット目が0であるとき、または、開始/終了フラグの２ビットが00であるとき、「地震動警報詳細情報あり」と判定することが可能になる。
【０１１８】
この場合、地震動警報情報が伝送されてきたか否かの判定に開始/終了フラグが用いられるため、地震動警報詳細情報が有るか無いかを区別することが可能になる。一方、信号識別は用いられないので、伝送されてきた地震動警報詳細情報が、地震動警報詳細情報の試験信号であるのか本信号なのか、または、「該当地域あり」なのか「該当地域なし」なのかの区別は行われない。
【０１１９】
１８ビット目まで、または１９ビット目までに加えて、２０ビット目、または２１ビット目まで受信し、上述した１８ビット目の１ビットを用いた判定、または１８ビット目と１９ビット目の２ビットを用いた判定が行われるようにしてもよい。
【０１２０】
［実施例４］
AC信号の２ビット目から２４ビット目まで受信したタイミングで、地震動警報情報が伝送されてきたか否かを判定する場合について説明する。
【０１２１】
早期検出フラグ生成回路５５は、AC信号の２ビット目から２４ビット目まで受信し、構成識別が001または110であり、開始/終了フラグが00であり、かつ信号識別が所望のものである場合、地震動警報情報が伝送されてきたと判定し、早期検出フラグを生成する。
【０１２２】
上述したように、信号識別が000であることは「地震動警報詳細情報 該当地域あり」を表す。例えば、構成識別が001または110であり、開始/終了フラグが00であり、かつ、信号識別が000である場合に、地震動警報情報が伝送されてきたものとして判定される。
【０１２３】
信号識別が010または011であり、試験信号の伝送が行われていると判定された場合には早期検出フラグの生成が行われないようにしてもよい。また、信号識別が000または010であり、「該当地域あり」のときにのみ、地震動警報情報が伝送されてきたと判定され、早期検出フラグが生成されるようしてもよい。
【０１２４】
［実施例のまとめ］
図６は、以上の４つの例をまとめて示す図である。
【０１２５】
実施例１においては、２ビット目から４ビット目までが受信され、地震動警報情報が伝送されてきたか否かの判定に３ビットの構成識別が用いられる。
【０１２６】
実施例２においては、２ビット目から、同期信号を構成する１３ビットのうちの所定のビットまでが受信され、地震動警報情報が伝送されてきたか否かの判定に、構成識別と、同期信号の全部または一部が用いられる。
【０１２７】
実施例３においては、２ビット目から、１８ビット目、１９ビット目、２０ビット目、または２１ビット目までが受信され、地震動警報情報が伝送されてきたか否かの判定に、構成識別と開始/終了フラグが用いられる。
【０１２８】
実施例４においては、２ビット目から２４ビット目までが受信され、地震動警報情報が伝送されてきたか否かの判定に、構成識別、開始/終了フラグ、および信号識別が用いられる。
【０１２９】
このように、地震動警報情報が伝送されてきたか否かの判定に用いるビットのパターンとしては４パターンが考えられる。
【０１３０】
［受信装置の動作］
ここで、図７のフローチャートを参照して、受信部１２の処理について説明する。
【０１３１】
図７の処理は、例えば、FFT演算回路３５から同期/フレーム検出回路３８にAC信号が供給されたときに開始される。
【０１３２】
ステップＳ１において、同期/フレーム検出回路３８は、FFT演算回路３５により復調された信号の所定のサブキャリアからAC信号を抽出し、AC信号の同期信号を検出してOFDMフレームの境界を検出する。同期/フレーム検出回路３８は、検出したOFDMフレームの境界位置を表すフレーム同期信号を、AC信号とともに地震動警報情報復号回路４０に出力する。
【０１３３】
同期/フレーム検出回路３８から出力されたフレーム同期信号は、地震動警報情報復号回路４０の差集合巡回符号復号回路５３と早期検出フラグ生成回路５５に供給される。また、同期/フレーム検出回路３８から出力されたAC信号を対象として差動復調回路５１において差動復調が行われ、ビット判定回路５２においてビット判定が行われる。ビット判定回路５２から出力された、AC信号を構成する各ビットが、先頭のビットから順に１ビットずつ、差集合巡回符号復号回路５３と早期検出フラグ生成回路５５により受信される。
【０１３４】
ステップＳ２において、早期検出フラグ生成回路５５は、地震動警報情報が伝送されてきたか否かを判定する。
【０１３５】
ここでは、実施例１乃至４として説明したようにして判定が行われる。例えば、地震動警報情報が伝送されてきたか否かをAC信号の２ビット目から４ビット目まで受信したタイミングで判定する場合、早期検出フラグ生成回路５５は、AC信号の２ビット目から４ビット目まで受信し、構成識別が001または110であるとき、地震動警報情報が伝送されてきたと判定する。
【０１３６】
地震動警報情報が伝送されてきたとステップＳ２において判定した場合、ステップＳ３において、早期検出フラグ生成回路５５は早期検出フラグを生成し、レジスタ１２Ａに書き込む。地震動警報情報が伝送されてきていないとステップＳ２において判定された場合、ステップＳ３の処理はスキップされる。
【０１３７】
ステップＳ４において、差集合巡回符号復号回路５３は、AC信号を構成する２０４ビットを最後まで受信したか否かを判定し、最後まで受信したと判定するまで待機する。
【０１３８】
AC信号を構成する２０４ビットを最後まで受信したとステップＳ４において判定した場合、ステップＳ５において、差集合巡回符号復号回路５３は、差集合巡回符号による誤り訂正を行う。差集合巡回符号復号回路５３は、誤り訂正を施した地震動警報情報をCRC回路５４に出力し、誤り訂正成否信号を外部に出力する。
【０１３９】
ステップＳ６において、CRC回路５４は、地震動警報情報に含まれる１０ビットのCRC符号によるCRCを行い、CRCの成否を表すCRC成否信号と、地震動警報情報を出力する。その後、処理は終了される。
【０１４０】
以上のようにして早期検出フラグを出力することによって、受信部１２は、地震動警報情報が伝送されてきたことを、AC信号を最後まで受信する前にコントローラ１６に伝達することが可能になる。
【０１４１】
次に、図８のフローチャートを参照して、図７の処理に対応して行われるコントローラ１６の処理について説明する。
【０１４２】
図８の処理は、例えば、レジスタ１２Ａに記憶されている情報を所定の周期で繰り返し確認する処理であるポーリングによって、早期検出フラグが記憶されていることがコントローラ１６により検出されたときに行われる。
【０１４３】
ステップＳ１１において、コントローラ１６は警報を出力するための処理を行う。例えば、受信装置１の状態が待機状態であり、地震に関する情報を画面表示によってユーザに通知する場合、表示部１５を起動させる処理が開始される。
【０１４４】
受信装置１の状態には、表示部１５が起動し、番組の映像などの画面表示を行っている状態であるオン状態の他に、主電源は入っているが、表示部１５やスピーカ１７が起動しておらず、画面表示や音声出力を行っていない状態である待機状態がある。待機状態において例えばリモートコントローラの電源ボタンが押された場合、受信装置１の状態はオン状態に切り替わり、画面表示が開始される。
【０１４５】
なお、待機状態においても、受信部１２は起動しており、図７を参照して説明した処理が受信部１２により行われる。また、コントローラ１６によるポーリングも行われる。待機状態時、受信部１２の構成のうち、キャリア復調回路３６、誤り訂正回路３７、伝送制御情報復号回路３９に電源を供給しないようにして、電力消費を抑えるようにしてもよい。
【０１４６】
表示部１５が起動した後、地震動警報情報が伝送されてきたことを表すメッセージが表示されるようにしてもよいし、地震動警報情報をコントローラ１６が受信するまで黒画が表示されるようにしてもよい。
【０１４７】
また、受信装置１の状態が待機状態であり、地震に関する情報を音によってユーザに通知する場合、スピーカ１７を起動させる処理が開始される。
【０１４８】
ステップＳ１２において、コントローラ１６は、地震動警報情報を受信したか否かを判定し、受信したと判定するまで待機する。
【０１４９】
コントローラ１６によるポーリングは、早期検出フラグがレジスタ１２Ａから読み出された後も行われる。そのポーリングにより、地震動警報情報復号回路４０のCRC回路５４から出力された地震動警報情報がレジスタ１２Ａに記憶されていることが確認された場合、レジスタ１２Ａから地震動警報情報が読み出され、コントローラ１６により受信される。
【０１５０】
地震動警報情報を受信したとステップＳ１２において判定した場合、ステップＳ１３において、コントローラ１６は検出エラーが発生したか否かを判定する。
【０１５１】
例えば、コントローラ１６は、実施例１乃至３の場合において、早期検出フラグの後に受信した地震動警報情報に含まれる信号識別が000以外であるとき、検出エラーが発生したものとして判定する。信号識別が000であることは「地震動警報詳細情報 該当地域あり」を表す。
【０１５２】
また、実施例３の場合において、早期検出フラグを生成する際に開始/終了フラグに誤りが載っており、正しくは11だったものが00と判断して早期検出フラグを送出したとき、コントローラ１６は、早期検出フラグを送出した後に受信した、誤り訂正が行われた地震動警報情報に含まれる開始終了フラグが11であるので、検出エラーが発生したものとして判定する。
【０１５３】
実施例１として説明したように、AC信号の２ビット目から４ビット目まで受信して地震動警報情報が伝送されてきたか否かを判定する場合、その判定においては、地震動警報詳細情報が有るか無いかは信号識別に基づいて区別されない。実施例２，３の場合も同様である。
【０１５４】
従って、構成識別が001または110であり、信号識別が001，010，011のうちのいずれかである場合、受信装置１が設置されている地域を対象にした地震が実際には発生していないにもかかわらず、早期検出フラグが受信部１２により生成され、警報を出力するための処理がコントローラ１６により開始されることになる。
【０１５５】
上述したように、信号識別の001は「地震動警報詳細情報 該当地域なし」、010は「地震動警報詳細情報の試験信号 該当地域あり」、011は「地震動警報詳細情報の試験信号 該当地域なし」をそれぞれ表す。構成識別が001または110であり地震動警報情報が伝送されてきたとしても、信号識別が001，010，011のうちのいずれかであるときは、受信装置１が設置されている地域を対象にした地震が実際には発生していないことになる。
【０１５６】
このように、早期検出フラグを受信したが、その後に受信した地震動警報情報に基づいて、受信装置１が設置されている地域を対象にした地震が実際には発生していないことが確認された場合、検出エラーが発生したとして判定される。
【０１５７】
検出エラーが発生したとステップＳ１３において判定した場合、ステップＳ１４において、コントローラ１６は、警報を出力するための処理を停止する。
【０１５８】
表示部１５の起動が終了し、地震動警報情報が受信されるまで黒画を表示する状態になっていた場合、他の画像を表示することなく、受信装置１の状態は、再度、待機状態になる。地震動警報情報の誤検出であったことを通知するメッセージが表示されるようにしてもよい。
【０１５９】
一方、検出エラーが発生していないとステップＳ１３において判定した場合、ステップＳ１５において、コントローラ１６は、地震動警報情報に基づいて警報を出力する。
【０１６０】
例えば、コントローラ１６は、画面表示によって地震に関する情報を通知する場合、地震動警報の対象地域を示す情報に基づいて、地震の発生地域を地図上に表示させたり、地震動警報の震源に関する情報に基づいて、震源を地図上に表示させたり、発生時刻に基づいて、地震の発生時刻を表示する。
【０１６１】
また、コントローラ１６は、音によって地震に関する情報を通知する場合、地震動警報詳細情報として伝送されてきた情報に基づいて地震の発生時刻、地震の発生地域、震源を特定し、それらの情報を通知する音声をスピーカ１７から出力させる。
【０１６２】
ステップＳ１４において警報を出力するための処理が停止された後、または、ステップＳ１５において警報が出力された後、処理は終了される。
【０１６３】
以上の処理により、コントローラ１６は、受信装置１の状態が待機状態にある場合であっても、地震動警報情報を実際に受信する前に、地震に関する情報をユーザに通知するための準備を開始することができる。
【０１６４】
また、表示部１５やスピーカ１７の起動を先に行っているから、コントローラ１６は、地震動警報情報を受信した後に、迅速に、地震に関する情報をユーザに通知することができる。
【０１６５】
［変形例］
以上においては、受信部１２から出力された早期検出フラグと地震動警報情報がポーリングによってコントローラ１６により受信されるものとしたが、受信部１２からコントローラ１６に直接、早期検出フラグと地震動警報情報が伝送されるようにしてもよい。
【０１６６】
図９は、受信部１２とコントローラ１６の接続例を示す図である。
【０１６７】
図９の例においては、受信部１２を実現するLSI(Large Scale Integrated Circuit)のピン１２Ｂと、コントローラ１６を実現するLSIの割り込みピン１６Ａが直接接続されている。
【０１６８】
受信部１２の早期検出フラグ生成回路５５（図５）は、地震動警報情報が伝送されてきたことを上述したようにして判定した場合、早期検出フラグを生成する。早期検出フラグ生成回路５５により生成された早期検出フラグはピン１２Ｂから出力され、コントローラ１６の割り込みピン１６Ａに入力される。
【０１６９】
受信部１２のCRC回路５４から出力された地震動警報情報も同様に、レジスタ１２Ａに書き込まれるのではなく、ピン１２Ｂから出力され、コントローラ１６の割り込みピン１６Ａに入力される。
【０１７０】
コントローラ１６は、割り込みピン１６Ａにおいて早期検出フラグが受信された場合、図８を参照して説明した処理を他の処理に優先して開始し、割り込みピン１６Ａにおいて地震動警報情報が受信された場合、地震に関する情報を出力させる。
【０１７１】
早期検出フラグや地震動警報情報をポーリングによって受信する場合、ポーリングのタイミングによっては、それらの情報が受信部１２のレジスタ１２Ａに書き込まれたときでも、コントローラ１６がすぐに読み出すことができず、遅延が生じることがある。
【０１７２】
このように、早期検出フラグや地震動警報情報が受信部１２からコントローラ１６の割り込みピン１６Ａに直接入力されるようにすることにより、そのような遅延が生じるのを防ぐことができる。
【０１７３】
＜第２の実施の形態＞
図１０は、図４の地震動警報情報復号回路４０の他の構成例を示すブロック図である。
【０１７４】
図１０に示す構成のうち、図２に示す構成と同じ構成には同じ符号を付してある。重複する説明については適宜省略する。
【０１７５】
図１０に示す地震動警報情報復号回路４０の構成は、差動復調回路５１、ビット判定回路５２、差集合巡回符号復号回路５３、CRC回路５４の他に、CRC回路６１が設けられている点で図２の構成と異なる。図４の同期/フレーム検出回路３８から出力されたAC信号は差動復調回路５１に入力され、フレーム同期信号は差集合巡回符号復号回路５３に入力される。
【０１７６】
図１０の差動復調回路５１は、入力されたAC信号を差動復調し、元の情報ビットに対応した信号点の複素信号を生成する。差動復調回路５１により差動復調された信号はビット判定回路５２に供給される。
【０１７７】
ビット判定回路５２は、差動復調された信号に基づいてビット判定を行う。ビット判定の結果であるビットストリーム化されたAC信号の各ビットは、先頭のビットから順に１ビットずつ、差集合巡回符号復号回路５３とCRC回路６１に供給される。
【０１７８】
差集合巡回符号復号回路５３は、入力されたフレーム同期信号に基づいてAC信号のフレームの先頭を検出する。差集合巡回符号復号回路５３は、AC信号の２０４ビット目まで受信した後、８２ビットのパリティビットとして地震動警報情報に含まれる差集合巡回符号による誤り訂正を行い、誤り訂正を施した地震動警報情報をCRC回路５４に出力する。
【０１７９】
CRC回路５４は、差集合巡回符号復号回路５３から供給された地震動警報情報に含まれる１０ビットのCRC符号によるCRCを行い、CRCの成否を表すCRC成否信号と、地震動警報情報を出力する。
【０１８０】
CRC回路６１は、ビット判定回路５２から供給された情報を順次受信し、AC信号を構成する最後のビットである２０４ビット目まで受信せずに、１２２ビット目まで、すなわちCRC符号の最後まで受信したタイミングで、CRC符号によるCRCを行う。CRC符号の受信には、適宜、図４の同期/フレーム検出回路３８から供給されたフレーム同期信号が用いられる。
【０１８１】
図１を参照して説明したように、AC信号の１０ビットのCRC符号は、８２ビットのパリティビットより先に伝送されてくるため、１０ビットのCRC符号を受信したタイミングで、CRCを行うことは可能である。
【０１８２】
CRC回路６１は、CRCの成否を表すCRC成否信号と地震動警報情報を出力する。CRC回路５４によるCRCにかかる時間とCRC回路６１によるCRCにかかる時間が同じであるとすると、CRC回路５４から出力される前に、CRC回路６１から地震動警報情報が出力される。
【０１８３】
CRC回路５４から出力された地震動警報情報と、CRC回路６１から出力された地震動警報情報はレジスタ１２Ａに書き込まれ、コントローラ１６により読み出される。
【０１８４】
また、CRC回路５４から出力された地震動警報情報と、CRC回路６１から出力された地震動警報情報が、図９を参照して説明したようにして、コントローラ１６の割り込みピン１６Ａに直接入力されるようにしてもよい。
【０１８５】
このように、図１０の地震動警報情報復号回路４０においては、CRCに成功した場合、差集合巡回符号による誤り訂正を行わずにCRC回路６１から地震動警報情報が出力される。これにより、AC信号を最後まで受信し、差集合巡回符号による誤り訂正を行ってから地震動警報情報を出力する場合に較べて、地震動警報情報をコントローラ１６に迅速に伝達することが可能になる。
【０１８６】
なお、図１０においては、CRC回路５４とCRC回路６１の２つのCRC回路が設けられているが、CRC回路５４とCRC回路６１の機能を実現する１つのCRC回路が設けられるようにしてもよい。
【０１８７】
その１つのCRC回路は、CRC符号が受信されたタイミングでCRCを行い、CRC成否信号と地震動警報情報を出力するとともに、地震動警報情報が差集合巡回符号復号回路５３から供給されたタイミングでもCRCを行い、CRC成否信号と地震動警報情報を出力する。
【０１８８】
図１１のフローチャートを参照して、図１０の地震動警報情報復号回路４０を有する受信部１２の処理について説明する。
【０１８９】
図１１の処理も、例えば、FFT演算回路３５から同期/フレーム検出回路３８にAC信号が供給されたときに開始される。
【０１９０】
ステップＳ２１において、同期/フレーム検出回路３８は、FFT演算回路３５により復調された信号の所定のサブキャリアからAC信号を抽出し、AC信号の同期信号を検出してOFDMフレームの境界を検出する。同期/フレーム検出回路３８は、検出したOFDMフレームの境界位置を表すフレーム同期信号を、AC信号とともに地震動警報情報復号回路４０に出力する。
【０１９１】
同期/フレーム検出回路３８から出力されたフレーム同期信号は、地震動警報情報復号回路４０の差集合巡回符号復号回路５３に供給される。また、同期/フレーム検出回路３８から出力されたAC信号を対象として差動復調回路５１において差動復調が行われ、ビット判定回路５２においてビット判定が行われる。ビット判定回路５２から出力された、AC信号を構成する各ビットが、先頭のビットから順に１ビットずつ、差集合巡回符号復号回路５３とCRC回路６１に供給される。
【０１９２】
ステップＳ２２において、CRC回路６１はCRC符号まで受信したか否かを判定し、受信したと判定するまで待機する。
【０１９３】
CRC符号まで受信したとステップＳ２２において判定した場合、ステップＳ２３において、CRC回路６１は、CRC符号によるCRCを行い、CRC成否信号と地震動警報情報を出力する。CRC回路６１によりCRC符号が受信された場合、差集合巡回符号復号回路５３においても、CRC符号まで受信されている。
【０１９４】
ステップＳ２４において、差集合巡回符号復号回路５３は、AC信号の最後の２０４ビット目まで受信したか否かを判定し、受信したと判定するまで待機する。
【０１９５】
AC信号の最後の２０４ビット目まで受信したとステップＳ２４において判定した場合、ステップＳ２５において、差集合巡回符号復号回路５３は、差集合巡回符号による誤り訂正を行う。差集合巡回符号復号回路５３は、誤り訂正成否信号を外部に出力するとともに、誤り訂正を施した地震動警報情報をCRC回路５４に出力する。
【０１９６】
ステップＳ２６において、CRC回路５４は、差集合巡回符号復号回路５３から供給された地震動警報情報に含まれるCRC符号によるCRCを行い、CRC成否信号と地震動警報情報を出力する。その後、処理は終了される。
【０１９７】
以上の処理により、地震動警報情報をコントローラ１６に迅速に伝達することが可能になる。
【０１９８】
＜第３の実施の形態＞
図１２は、図４の地震動警報情報復号回路４０のさらに他の構成例を示すブロック図である。
【０１９９】
図１２に示す構成のうち、図２に示す構成と同じ構成には同じ符号を付してある。重複する説明については適宜省略する。
【０２００】
図１２に示す地震動警報情報復号回路４０の構成は、差動復調回路５１、ビット判定回路５２、差集合巡回符号復号回路５３、CRC回路５４の他に、マンチェスタ符号化回路７１が設けられている点で図２の構成と異なる。図４の同期/フレーム検出回路３８から出力されたAC信号は差動復調回路５１に入力され、フレーム同期信号は差集合巡回符号復号回路５３に入力される。
【０２０１】
差動復調回路５１は、入力されたAC信号を差動復調し、元の情報ビットに対応した信号点の複素信号を生成する。差動復調回路５１により差動復調された信号はビット判定回路５２に供給される。
【０２０２】
ビット判定回路５２は、差動復調された信号に基づいてビット判定を行う。ビット判定の結果であるビットストリーム化されたAC信号を構成する各ビットは、先頭のビットから順に１ビットずつ、差集合巡回符号復号回路５３に供給される。
【０２０３】
差集合巡回符号復号回路５３は、入力されたフレーム同期信号に基づいてAC信号のフレームの先頭を検出する。差集合巡回符号復号回路５３は、AC信号の２０４ビット目まで受信した後、８２ビットのパリティビットとして地震動警報情報に含まれる差集合巡回符号による誤り訂正を行い、誤り訂正を施した地震動警報情報をCRC回路５４に出力する。
【０２０４】
また、差集合巡回符号復号回路５３は、誤り訂正成否信号を出力する。差集合巡回符号復号回路５３から出力された誤り訂正成否信号は地震動警報情報復号回路４０の外部に供給されるとともに、マンチェスタ符号化回路７１に供給される。
【０２０５】
CRC回路５４は、差集合巡回符号復号回路５３から供給された地震動警報情報に含まれる１０ビットのCRC符号によるCRCを行い、CRCの成否を表すCRC成否信号と、地震動警報情報を出力する。CRC回路５４から出力されたCRC成否信号と地震動警報情報は、地震動警報情報復号回路４０の外部に供給されるとともに、マンチェスタ符号化回路７１に供給される。
【０２０６】
マンチェスタ符号化回路７１は、差集合巡回符号復号回路５３による誤り訂正が成功し、CRC回路５４によるCRCが成功したことを検出した場合、CRC回路５４から供給された地震動警報情報の一部または全部をマンチェスタ符号化する。差集合巡回符号復号回路５３による誤り訂正が成功したか否かは誤り訂正成否信号に基づいて判定され、CRC回路５４によるCRCが成功したか否かはCRC成否信号に基づいて判定される。
【０２０７】
マンチェスタ符号化回路７１は、マンチェスタ符号化後の地震動警報情報の先頭に、”00001”などの所定の数のビットからなるプリアンブルを付加し、出力する。
【０２０８】
マンチェスタ符号化回路７１から出力された地震動警報情報はコントローラ１６の割り込みピン１６Ａに入力される。すなわち、図１２に示す地震動警報情報復号回路４０を有する受信部１２は、図９を参照して説明したように、コントローラ１６の割り込みピン１６Ａに接続されるピン１２Ｂを有するLSIにより実現される。
【０２０９】
マンチェスタ符号化回路７１から出力された地震動警報情報を受信したコントローラ１６においては、地震に関する情報をユーザに通知するための処理が行われる。
【０２１０】
上述したように、地震動警報情報がI2Cのレジスタ経由でコントローラ１６に供給される場合、ポーリングのタイミングにより遅延が生じる場合がある。地震動警報情報そのものが、コントローラ１６の割り込みピン１６Ａと接続されたLSI（受信部１２）のピン１２Ｂから出力されるようにすることにより、ポーリングによる遅延を回避して、地震動警報情報をコントローラ１６に迅速に伝達することが可能になる。
【０２１１】
ここで、画像データや音声データをMPEGデコード部１３に供給するためのピンを確保する必要があることなどから、受信部１２を実現するLSIに搭載されているピンのうち、地震動警報情報を伝達するためのピンとして多くのピンを割り当てることができない。
【０２１２】
地震動警報情報をマンチェスタ符号化し、１ビットずつ出力することによって、１つのピンを用いて地震動警報情報をコントローラ１６に伝達することが可能になる。マンチェスタ符号によれば、信号レベルが高レベルから低レベル、または低レベルから高レベルに１ビット周期毎に変化するため、コントローラ１６においても同期を確保しやすくなる。
【０２１３】
マンチェスタ符号を利用する場合、0が連続する場合、または1が連続する場合、符号が１ビットずれると1の連続信号が0の連続信号と見なされてしまったり、0の連続信号が1の連続信号と見なされたりする。プリアンブルを付加して出力することによって、地震動警報情報の開始位置をコントローラ１６に容易に検出させることができる。
【０２１４】
マンチェスタ符号の代わりに、NRZ(Non Return to Zero)符号、差動マンチェスタ符号、RZ(Return to Zero)符号、バイポーラ符号等が用いられるようにしてもよい。
【０２１５】
図１３のフローチャートを参照して、図１２の地震動警報情報復号回路４０を有する受信部１２の処理について説明する。
【０２１６】
図１３の処理も、例えば、FFT演算回路３５から同期/フレーム検出回路３８にAC信号が供給されたときに開始される。
【０２１７】
ステップＳ４１において、同期/フレーム検出回路３８は、FFT演算回路３５により復調された信号の所定のサブキャリアからAC信号を抽出し、AC信号の同期信号を検出してOFDMフレームの境界を検出する。同期/フレーム検出回路３８は、検出したOFDMフレームの境界位置を表すフレーム同期信号を、AC信号とともに地震動警報情報復号回路４０に出力する。
【０２１８】
同期/フレーム検出回路３８から出力されたフレーム同期信号は、地震動警報情報復号回路４０の差集合巡回符号復号回路５３に供給される。また、同期/フレーム検出回路３８から出力されたAC信号を対象として差動復調回路５１において差動復調が行われ、ビット判定回路５２においてビット判定が行われる。ビット判定回路５２から出力された、AC信号を構成する各ビットが、先頭のビットから順に１ビットずつ、差集合巡回符号復号回路５３により受信される。
【０２１９】
ステップＳ４２において、差集合巡回符号復号回路５３は、AC信号の最後の２０４ビット目まで受信したか否かを判定し、受信したと判定するまで待機する。
【０２２０】
AC信号の最後の２０４ビット目まで受信したとステップＳ４２において判定した場合、ステップＳ４３において、差集合巡回符号復号回路５３は、差集合巡回符号による誤り訂正を行う。差集合巡回符号復号回路５３は、誤り訂正成否信号を出力するとともに、誤り訂正を施した地震動警報情報をCRC回路５４に出力する。
【０２２１】
ステップＳ４４において、CRC回路５４は、差集合巡回符号復号回路５３から供給された地震動警報情報に含まれるCRC符号によるCRCを行い、CRC成否信号と地震動警報情報を出力する。
【０２２２】
ステップＳ４５において、マンチェスタ符号化回路７１は、差集合巡回符号復号回路５３による誤り訂正とCRC回路５４によるCRCが成功したことを検出した場合、CRC回路５４から供給された地震動警報情報をマンチェスタ符号化し、出力する。
【０２２３】
マンチェスタ符号化された地震動警報情報を割り込みピン１６Ａにおいて受信したコントローラ１６においては、復号処理が行われ、地震に関する情報をユーザに通知するための処理が行われる。その後、処理は終了される。
【０２２４】
以上の処理により、ポーリングによる遅延が発生するのを回避することができ、地震動警報情報をコントローラ１６に迅速に伝達することが可能になる。
【０２２５】
なお、地震動警報情報自体ではなく、第１の実施の形態において説明した早期検出フラグに対してマンチェスタ符号化が施され、マンチェスタ符号化後の早期検出フラグがコントローラ１６の割り込みピン１６Ａに供給されるようにしてもよい。
【０２２６】
この場合、図５の早期検出フラグ生成回路５５の後段にマンチェスタ符号化回路７１が設けられ、マンチェスタ符号化が行われる。マンチェスタ符号化後の早期検出フラグに所定の数のビットからなるプリアンブルがマンチェスタ符号化回路７１により付加されるようにすることも可能である。
【０２２７】
＜第４の実施の形態＞
上述したような地震動警報情報が伝送されてきたか否かの判定や地震動警報情報の受信が、受信装置１の状態が待機状態にあり、複数セグメント（３セグメントや１３セグメント）の受信が要求されていないときに行われるようにすることが可能である。
【０２２８】
受信装置１の状態が待機状態にあるとき、ISDB−T規格で規定される１３セグメントのうち、周波数軸上に並べたときに中央にあるNo.0の１つのセグメントのみが受信部１２において選局される。No.0の１つのセグメントのACキャリアの信号に基づいて、地震動警報情報が伝送されてきたか否かの判定や地震動警報情報の受信が行われる。
【０２２９】
図１４は、ISDB−T規格で規定される、１つの物理チャンネルに含まれるセグメントを示す図である。
【０２３０】
ISDB−T規格では、１つの物理チャンネルの周波数帯域（6MHz）が13のセグメントに分割される。各セグメントには、図１４において各セグメント内に太線で示すようにACキャリアが設けられる。地震動警報情報は、No.0のセグメントのACキャリアを用いて伝送される。
【０２３１】
従って、No.0のセグメントのみを受信していれば、上述したような、地震動警報情報が伝送されてきたか否かの判定や地震動警報情報の受信を行うことは可能である。
【０２３２】
これにより、地震動警報情報が伝送されてきたか否かの判定や地震動警報情報の受信を行うために１３セグメント全体を受信する場合に較べて、受信装置１の消費電力を抑えることが可能になる。ハイビジョンのテレビジョン番組を受信する場合にはNo.0のセグメント以外の１２セグメントを受信する必要があるが、画面表示を行わない待機状態においては、No.0のセグメント以外を受信する必要はない。
【０２３３】
なお、AC信号の構成識別の３ビットは、他のセグメントのACキャリアでもTMCC信号と同一のタイミングで伝送される。No.0のセグメントしか受信しない場合においても、構成識別のビットの変調方式としてはDQPSK変調のようにノイズに強い変調方式が用いられている上、同一の構成識別のビットが複数のACキャリアで伝送されるため、十分な受信性能を得ることが可能となる。
【０２３４】
受信部１２により生成された早期検出フラグがコントローラ１６により受信されたタイミング、または受信部１２により復号された地震動警報情報がコントローラ１６により受信されたタイミングで、１３セグメント全体を受信する状態に切り替えられる。
【０２３５】
図１５のフローチャートを参照して、受信状態を切り替える受信装置１の処理について説明する。
【０２３６】
この処理は、例えば受信装置１の状態が待機状態にあるときに開始される。
【０２３７】
ステップＳ５１において、受信部１２はNo.0のセグメントのみを受信し、No.0のセグメントのACキャリアで伝送される信号に基づいて、地震動警報情報が伝送されてきたか否かの判定や地震動警報情報の受信を行う。すなわち、受信部１２においては、図７、図１１、図１３を参照して説明した処理が行われる。
【０２３８】
ステップＳ５２において、コントローラ１６は、地震動警報情報が伝送されてきたか否かを判定する。例えば、受信部１２により生成された早期検出フラグを受信した場合、または、受信部１２により復号された地震動警報情報を受信した場合、コントローラ１６は、地震動警報情報が伝送されてきたと判定する。
【０２３９】
地震動警報情報が伝送されてきていないとステップＳ５２において判定された場合、ステップＳ５１に戻り、No.0のセグメントのみの受信が続けられる。
【０２４０】
一方、地震動警報情報が伝送されてきたとステップＳ５２において判定された場合、ステップＳ５３において、受信部１２は、コントローラ１６による制御に従って１３セグメント全体を受信する。
【０２４１】
受信装置１の状態は、待機状態からオン状態に切り替わり、表示部１５やスピーカ１７などの各部も起動する。各部が起動した後、No.0のセグメント以外のセグメントのキャリアによって伝送されてきた情報に基づいて、テレビジョン番組の画像が表示部１５に表示され、音声がスピーカ１７から出力される。
【０２４２】
地震動警報情報が伝送されてきたことに応じて待機状態からオン状態になり、画面表示などが自動的に行われるようにすることにより、ユーザに注意を喚起することが可能になる。また、地震に関する情報を、テレビジョン番組の画像に重ねて表示させることが可能になる。
【０２４３】
＜変形例＞
以上においては、AC信号を用いて地震動警報情報が伝送される場合について説明したが、地震動警報情報以外の警報情報が所定のフレーム構成を有する送信信号によって伝送される場合に同様の処理が行われるようにしてもよい。警報情報には、例えば、台風などの気象に関する情報、津波に関する情報が含まれる。
【０２４４】
これにより、警報情報が伝送されてきたことを、その所定のフレーム構成を有する送信信号を最後まで受信する前に検出することができ、また、警報情報が伝送されてきたことをコントローラ１６に迅速に伝達することができる。
【０２４５】
図１６は、警報情報を伝送する送信信号のフレーム構成の例を示す図である。
【０２４６】
図１６の例においては、送信信号の先頭に同期信号が付加されている。また、送信信号には、伝送順に、警報情報と冗長信号が含まれる。冗長信号は、CRC符号とパリティビットから構成される。
【０２４７】
地震動警報情報を伝送するAC信号と対応させて説明すると、図１６の同期信号は、同期/フレーム検出回路３８により検出される、AC信号の同期信号に対応する。図１６の警報情報は、AC信号の先頭から１１２ビット目までに対応し、図１６のCRC符号は、地震動警報情報に含まれる１０ビットのCRC符号に対応する。図１６のパリティビットは、地震動警報情報に含まれる８２ビットのパリティビットに対応する。
【０２４８】
例えば、警報情報の所定のビットまで受信したタイミングで、警報情報が伝送されてきたか否かが判定され、パリティビットの最後まで受信する前に、警報情報が伝送されてきたことを表すフラグが受信部１２からコントローラ１６に供給される。
【０２４９】
これにより、コントローラ１６は、警報情報が伝送されてきたことを迅速に検出することができ、警報情報が伝送されてきたことをユーザに通知するための処理などの所定の処理を開始することが可能になる。
【０２５０】
また、パリティビットを受信する前に、CRC符号の最後のビットまで受信したタイミングでCRCが行われ、パリティビットによる誤り訂正が行われる前に、警報情報の少なくとも一部が受信部１２からコントローラ１６に供給されるようにしてもよい。
【０２５１】
［受信システムに適用した例］
図１７は、受信部１２を適用した受信システムの第１実施の形態の構成例を示すブロック図である。
【０２５２】
図１７の受信システムは、取得部１０１、伝送路復号処理部１０２、および情報源復号処理部１０３から構成される。
【０２５３】
取得部１０１は、地上デジタル放送、衛星デジタル放送、CATV網、インターネットその他のネットワーク等の図示せぬ伝送路を介して信号を取得し、伝送路復号処理部１０２に供給する。図４の受信部１２は例えば取得部１０１に含まれる。
【０２５４】
伝送路復号処理部１０２は、取得部１０１が伝送路を介して取得した信号に対して、誤り訂正を含む伝送路復号処理を施し、その結果得られる信号を情報源復号処理部１０３に供給する。
【０２５５】
情報源復号処理部１０３は、伝送路復号処理が施された信号に対して、圧縮された情報を元の情報に伸張し、送信対象のデータを取得する処理を含む情報源復号処理を施す。
【０２５６】
すなわち、取得部１０１が伝送路を介して取得した信号には、画像や音声等のデータ量を少なくするために、情報を圧縮する圧縮符号化が施されていることがある。その場合、情報源復号処理部１０３は、伝送路復号処理が施された信号に対して、圧縮された情報を元の情報に伸張する処理等の情報源復号処理を施す。
【０２５７】
なお、取得部１０１が伝送路を介して取得した信号に圧縮符号化が施されていない場合、情報源復号処理部１０３では、圧縮された情報を元の情報に伸張する処理は行われない。ここで、伸張処理としては、例えば、MPEGデコード等がある。また、情報源復号処理には、伸張処理の他、デスクランブル等が含まれることがある。
【０２５８】
図１７の受信システムは、例えば、デジタルテレビジョン放送を受信するテレビチューナ等に適用することができる。なお、取得部１０１、伝送路復号処理部１０２、および情報源復号処理部１０３は、それぞれ、１つの独立した装置（ハードウェア（IC(Integrated Circuit)等））、又はソフトウェアモジュール）として構成することが可能である。
【０２５９】
また、取得部１０１、伝送路復号処理部１０２、および、情報源復号処理部１０３については、それらの３つのセットを１つの独立した装置として構成することが可能である。取得部１０１と伝送路復号処理部１０２とのセットを１つの独立した装置として構成することも可能であるし、伝送路復号処理部１０２と情報源復号処理部１０３とのセットを１つの独立した装置として構成することも可能である。
【０２６０】
図１８は、受信部１２を適用した受信システムの第２実施の形態の構成例を示すブロック図である。
【０２６１】
図１８に示す構成のうち、図１７に示す構成と対応する構成については、同一の符号を付してあり、その説明は適宜省略する。
【０２６２】
図１８の受信システムの構成は、取得部１０１、伝送路復号処理部１０２、および情報源復号処理部１０３を有する点で図１７の構成と共通し、出力部１１１が新たに設けられている点で図１７の構成と相違する。
【０２６３】
出力部１１１は、例えば、画像を表示する表示装置や音声を出力するスピーカであり、情報源復号処理部１０３から出力される信号としての画像や音声等を出力する。すなわち、出力部１１１は、画像を表示し、あるいは、音声を出力する。
【０２６４】
図１８の受信システムは、例えば、デジタル放送としてのテレビジョン放送を受信するTVや、ラジオ放送を受信するラジオ受信機等に適用することができる。
【０２６５】
なお、取得部１０１において取得された信号に圧縮符号化が施されていない場合、伝送路復号処理部１０２が出力する信号が、直接、出力部１１１に供給される。
【０２６６】
図１９は、受信部１２を適用した受信システムの第３実施の形態の構成例を示すブロック図である。
【０２６７】
図１９に示す構成のうち、図１７に示す構成と対応する構成については同一の符号を付してあり、その説明は適宜省略する。
【０２６８】
図１９の受信システムの構成は、取得部１０１、および伝送路復号処理部１０２を有する点で図１７の構成と共通し、情報源復号処理部１０３が設けられておらず、記録部１２１が新たに設けられている点で図１７の構成と相違する。
【０２６９】
記録部１２１は、伝送路復号処理部１０２が出力する信号（例えば、MPEGのTSのTSパケット）を、光ディスクや、ハードディスク（磁気ディスク）、フラッシュメモリ等の記録（記憶）媒体に記録する（記憶させる）。
【０２７０】
以上のような図１９の受信システムは、テレビジョン放送を録画するレコーダ機器等に適用することができる。
【０２７１】
なお、情報源復号処理部１０３を設け、情報源復号処理部１０３で情報源復号処理が施された後の信号、すなわち、デコードによって得られる画像や音声を記録部１２１で記録するようにしてもよい。
【０２７２】
上述した一連の処理は、ハードウェアにより実行することもできるし、ソフトウエアにより実行することもできる。一連の処理をソフトウエアにより実行する場合には、そのソフトウエアを構成するプログラムが、専用のハードウェアに組み込まれているコンピュータ、または汎用のパーソナルコンピュータなどに、プログラム記録媒体からインストールされる。
【０２７３】
図２０は、上述した一連の処理をプログラムにより実行するコンピュータのハードウェアの構成例を示すブロック図である。
【０２７４】
CPU(Central Processing Unit)１５１、ROM(Read Only Memory)１５２、RAM(Random Access Memory)１５３は、バス１５４により相互に接続されている。
【０２７５】
バス１５４には、さらに、入出力インタフェース１５５が接続されている。入出力インタフェース１５５には、キーボード、マウスなどよりなる入力部１５６、ディスプレイ、スピーカなどよりなる出力部１５７が接続される。また、入出力インタフェース１５５には、ハードディスクや不揮発性のメモリなどよりなる記憶部１５８、ネットワークインタフェースなどよりなる通信部１５９、リムーバブルメディア１６１を駆動するドライブ１６０が接続される。
【０２７６】
以上のように構成されるコンピュータでは、CPU１５１が、例えば、記憶部１５８に記憶されているプログラムを入出力インタフェース１５５及びバス１５４を介してRAM１５３にロードして実行することにより、上述した一連の処理が行われる。
【０２７７】
CPU１５１が実行するプログラムは、例えばリムーバブルメディア１６１に記録して、あるいは、ローカルエリアネットワーク、インターネット、デジタル放送といった、有線または無線の伝送媒体を介して提供され、記憶部１５８にインストールされる。
【０２７８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２７９】
本発明の実施の形態は、上述した実施の形態に限定されるものではなく、本発明の要旨を逸脱しない範囲において種々の変更が可能である。
【符号の説明】
【０２８０】
１  受信装置，  １１  アンテナ，  １２  受信部，  １３  MPEGデコード部，  １４  画像重畳部，  １５  表示部，  １６  コントローラ，  １７  スピーカ，  １８  リモートコントローラ受光部，  ３８  同期/フレーム検出回路，  ４０  地震動警報情報復号回路，  ５１  差動復調回路，  ５２  ビット判定回路，  ５３  差集合巡回符号復号回路，  ５４  CRC回路，  ５５  早期検出フラグ生成回路，  ６１  CRC回路，  ７１  マンチェスタ符号化回路
【図１】
0005553146.tif 000002
【図２】
0005553146.tif 000003
【図３】
0005553146.tif 000004
【図４】
0005553146.tif 000005
【図５】
0005553146.tif 000006
【図６】
0005553146.tif 000007
【図７】
0005553146.tif 000008
【図８】
0005553146.tif 000009
【図９】
0005553146.tif 000010
【図１０】
0005553146.tif 000011
【図１１】
0005553146.tif 000012
【図１２】
0005553146.tif 000013
【図１３】
0005553146.tif 000014
【図１４】
0005553146.tif 000015
【図１５】
0005553146.tif 000016
【図１６】
0005553146.tif 000017
【図１７】
0005553146.tif 000018
【図１８】
0005553146.tif 000019
【図１９】
0005553146.tif 000020
【図２０】
0005553146.tif 000021